(57)【特許請求の範囲】
【請求項１】
吸収部と、前記吸収部の周囲端縁より外側に余って形成された部分からなるペット用排泄物吸収処理シートにおいて、前記吸収部の周囲端縁より外側に余って形成された部分に、切り離しが可能なミシン目又は切れ目を配設して成ることを特徴とするペット用排泄物吸収処理シート。
【発明の詳細な説明】
【技術分野】
【０００１】  この発明は、使用後廃棄処分する際に、衛生的で簡単に処分できるペット用排泄物吸収処理シートに関する。
【背景技術】
【０００２】  従来のペット用排泄物吸収処理シートはペットの排泄物を吸収処理することにより、汚染ヶ所をペット用排泄物吸収処理シート内にとどめることが目的であり、使用後はごみとして、廃棄処分する必要がある。【０００３】  また、使用後のペット用排泄物吸収処理シートを簡単で衛生的に廃棄処分するための発明および考案（例えば、特許文献１または特許文献２参照）があるが、いずれも従来のペット用排泄物吸収処理シートに、新たにひも等の部材を取り付けたものである。
【特許文献１】特開２００１−２０４２８６
【特許文献２】実用新案登録番号第３０５３１４５号
【発明の開示】
【発明が解決しようとする課題】
【０００４】  しかしながら、以上の技術によれば、使用後のペット用排泄物吸収処理シートを廃棄処分する際に次のような問題があった。
（イ）使用後のペット用排泄物吸収処理シートは廃棄処分するためにゴミ袋等へ移さなければならないのであるが、その際、手袋を着用したり、つまみ道具等を用いることは、手間がかかる。
（ロ）（イ）の作業を行う際に、ペット用排泄物吸収処理シートから汚物がこぼれ出ることがあり、それがペット用排泄物吸収処理シート以外の所を汚染し、不衛生である。また、汚物がこぼれ出ないように作業を行うことは極めて困難である。【０００５】（ハ）使用後、衛生的で簡単に廃棄処分できるように、ペット用排泄物吸収処理シートに、あらかじめ、ひもや袋等を設置することは、手間がかかり、面倒である。【０００６】（ニ）また、特許文献１および特許文献２においては、いずれもペット用排泄物吸収処理シートに、新たに別の部材を取り付けることにより、その目的を果たそうとするものであるが、従来、ペット用排泄物吸収処理シートは、ほとんどが使い捨てのタイプで、その価格は非常に安価であり、これに付加機能を持たせるために、従来のペット用排泄物吸収処理シートに、新たに別の部材を取り付けたり、また、そのために加工するための機械を生産ラインに導入することは、生産コストが上昇することは必至であり、価格が高くなるおそれがある。【０００７】（ホ）従来のペット用排泄物吸収処理シートには、使用後、衛生的で簡単に廃棄処分できる手段を有するものそのものが無かった。【０００８】  本発明は、以上の問題を解決するために、使用後、衛生的で簡単に廃棄処分できるペット用排泄物吸収処理シートを提供することを課題とする。
【課題を解決するための手段】
【０００９】  以上の課題を解決するために、この発明は、吸収部４と、前記吸収部４の周囲端縁より外側に余って形成された部分６からなるペット用排泄物吸収処理シート１において、前記吸収部４の周囲端縁より外側に余って形成された部分６に、切り離しが可能なミシン目又は切れ目２を配設して成ることを特徴とするペット用排泄物吸収処理シートである。
【発明の効果】
【００１０】  この発明によれば、実施例に示すようにペット用排泄物吸収処理シート１の吸収部４の周囲端縁より外側に余って形成された部分６に、切り離しが可能なミシン目又は切れ目２を配設するという手段により、このミシン目又は切れ目２を切り離し、切り離された部分３を持ち上げて縛り、平面状のペット用排泄物吸収処理シート１を袋状に変形させることができ、シート上の汚物をこぼすことなく簡単で衛生的に廃棄処分できるという従来品に無い、新しい機能を備えることができる。【００１１】  また、以上の機能を備えるために、従来のペット用排泄物吸収処理シートに、新たに別の部材を装着したり、またそのために従来品を加工したりする必要も無いため、生産コストを最小限に抑え、価格の上昇を防ぐことが期待でき、経済的においても有効である。
【発明を実施するための最良の形態】
【００１２】この発明の一実施形態を図１に示し、以下、説明する。
使用面から見て、ペット用排泄物吸収処理シート１の吸収部４の周囲端縁より外側に余って形成された部分６において、２つの切り離しが可能なミシン目又は切れ目２を該ペット用排泄物吸収処理シート１の相対する２つの端縁辺に対しそれぞれ略平行にかつ該２つの端縁辺とそれぞれ相向かう該吸収部４の端縁辺の長さより長くかつ該２つのミシン目又は切れ目２の両終端延長上にある該ペット用排泄物吸収処理シート１の端縁に達しないように配設する。
【実施例１】
【００１３】  使用面から見て、ペット用排泄物吸収処理シート１の吸収部４の周囲端縁より外側に余って形成された部分６において、２つの切り離しが可能なミシン目又は切れ目２を該ペット用排泄物吸収処理シート１の相対する２つの端縁辺に対しそれぞれ略平行にかつ該２つの端縁辺とそれぞれ相向かう該吸収部４の端縁辺の長さより長くかつ２つの該ミシン目又は切れ目２の両終端延長上にある該ペット用排泄物吸収処理シート１の端縁に達しないように配設し、図２（ａ）に示すように、前記２つのミシン目又は切れ目２を切り離し、図２（ｂ）に示すように、この切り離された部分３を持ち上げ、図２（ｃ）に示すように切り離された部分３一度絡ませてから相反方向へ引っ張ると図２（ｄ）に示すように、袋状に変形させることができる。さらにゆるまないように結び、これをそのまま、ゴミ袋等へ移せばよい。
【実施例２】
【００１４】  この発明の実施例２を図３（ａ）に示す。図１に示した実施例１のごとく切り離しが可能なミシン目又は切れ目２を配設し、前記ミシン目又は切れ目２より内側中央に短いミシン目又は切れ目５をそれぞれ設け、図３（ｂ）に示すように、切り離された部分３を使用面側からこの短いミシン目又は切れ目５に通し、あとは実施例１と同様の手順をもって使用すると、図３（ｃ）に示すように、袋状の形態をさらに安定させることができる。
【実施例３】
【００１５】  この発明の実施例３を図４（ａ）に示す。図に示すように、使用面から見て、ペット用排泄物吸収処理シート１の吸収部４の周囲端縁より外側に余って形成された部分６において、２つの切り離しが可能なミシン目又は切れ目２を該ペット用排泄物吸収処理シート１の相対する二辺にわたる２つの端縁辺に沿って略Ｌ字状かつ該２つの端縁辺とそれぞれ相向かう該吸収部４の端縁辺の長さより長くかつ該２つのミシン目又は切れ目２のそれぞれ一方の終端がその延長上にある該ペット用排泄物吸収処理シート１の端縁に達しかつもう一方の終端が前記該ペット用排泄物吸収処理シート１の端縁に達する該２つのミシン目又は切れ目２に達しないように配設し、該２つのミシン目又は切れ目２より内側に数ヶ所の短いミシン目又は切れ目５を設け、図４（ｂ）に示すように、該２つのミシン目又は切れ目２を切り離し、前記短く設けられたミシン目又は切れ目５に切り離された部分３を波縫いするように通し、これを引っ張り、あとは実施例１と同様の手順をもって使用すると、図４（ｃ）に示すように、シートのふちを絞ることが可能となり、きんちゃく袋状に変形させることができる。
【図面の簡単な説明】
【００１７】
【図１】この発明の一実施形態を示す平面図である。
【図２】（ａ）〜（ｄ）は、この発明の実施例１の使用方法および使用手順を示す説明図である。
【図３】（ａ）は、この発明の実施例２を示す平面図であり、（ｂ）、（ｃ）は、使用方法を示す斜視図である。
【図４】（ａ）は、この発明の実施例３を示す平面図であり、（ｂ）、（ｃ）は、使用方法を示す斜視図である。
【符号の説明】
【００１８】１  ペット用排泄物吸収処理シート
２  ミシン目又は切れ目
３  切り離された部分
４  吸収部
５  短いミシン目又は切れ目
６  吸収部４の周囲端縁より外側に余って形成された部分
【図１】
0004277300.tif 000002
【図２】
0004277300.tif 000003
【図３】
0004277300.tif 000004
【図４】
0004277300.tif 000005